(57)【要約】【課題】内視鏡の管路に挿入する被挿入体における内視鏡先端面から突出する部分の長手方向位置及び回転方向位置を規制する。【解決手段】被挿入管２００を内視鏡先端面に形成された管路口１２４から導出させる管路１２０を備えた内視鏡において，被挿入管先端部２１０の外側面には，長手方向規制用切欠面２２８と回転方向規制用切欠面２２６とを有する切欠部２２５を形成し，内視鏡管路口１２４には，長手方向規制用係止面１２８と回転方向規制用係止面１２６とを有する係止部１２５を形成し，内視鏡管路に被挿入体が挿入されたときに，内視鏡係止部の係止面１２８に被挿入体切欠部の切欠面２２８が当接して長手方向が規制されるとともに，内視鏡係止部の係止面１２６に被挿入体切欠部の切欠面２２６が当接して回転方向が規制されるようにした。【選択図】    図４
2004261349.tif 000002
【特許請求の範囲】
【請求項１】
被挿入体を内視鏡先端部に形成された管路口から導出させる管路を備えた内視鏡において，
前記被挿入体が前記管路口から突出する部分の長手方向位置を規制する長手方向規制手段と，
前記被挿入体が前記管路口から突出する部分の回転方向位置を規制する回転方向規制手段と，
を設けたことを特徴とする内視鏡。
【請求項２】
前記被挿入体は，内視鏡先端面洗浄用の流体を通す管状体と，前記管状体の先端に設けられ側面に開口部が形成された先端部とを備え，
前記長手方向規制手段は，前記被挿入体の先端部のうち少なくとも開口部が形成された部分が前記内視鏡管路口から突出するように，長手方向位置を規制し，
前記回転方向規制手段は，前記被挿入体の開口部が前記内視鏡先端面の洗浄対象部位の方向に向くように，回転方向位置を規制することを特徴とする請求項１に記載の内視鏡。
【請求項３】
前記被挿入体先端部の外側面には，長手方向に垂直な第１の切欠面と長手方向に沿った第２の切欠面とを有する切欠部が形成され，
前記内視鏡管路口には，長手方向に垂直な第１の係止面と長手方向に沿った第２の係止面とを有する係止部が形成され，
前記内視鏡の管路に前記被挿入体が挿入されたときに，前記内視鏡係止部の第１の係止面に前記被挿入体切欠部の第１の切欠面が当接して長手方向が規制されるとともに，前記内視鏡係止部の第２の係止面に前記被挿入体切欠部の第２の切欠面が当接して回転方向が規制されるようにしたことを特徴とする請求項１又は２に記載の内視鏡。
【請求項４】
前記被挿入体切欠部における第２の切欠面は，前記第１の切欠面の先端側に連続して形成し，
前記被挿入体の先端部における第２の切欠面よりも先端側の外側面の形状は，先端方向に向けて滑らかに先細となるように形成したことを特徴とする請求項３に記載の内視鏡。
【請求項５】
前記内視鏡は，少なくとも観察系と照明系が設けられた内視鏡本体と，この内視鏡本体を装着するカバーを備え，
前記内視鏡の管路は，前記カバーに形成したことを特徴とする請求項１〜３のいずれかに記載の内視鏡。
【請求項６】
前記内視鏡の管路は，吸引機構の吸引経路を兼ねることを特徴とする請求項１〜３のいずれかに記載の内視鏡。
【発明の詳細な説明】
【０００１】
【発明の属する技術分野】
本発明は，医療用の内視鏡にかかり，さらに詳しくは処置具や洗浄管などの被挿入体が挿入可能な管路を備えた内視鏡に関する。
【０００２】
【従来の技術】
この種の内視鏡としては，操作部から体内に挿入する挿入部を通って先端部にわたって送気送水管路，吸引管路など複数の管路（チャンネル）を設け，内視鏡先端面へ送気送水や吸引などを行う機能を持つものがある。
【０００３】
ところが，内視鏡に多くの機能を実現しようとして管路の数を増やすほど，内視鏡の挿入部が大径化してしまう。複数の管路や観察系の配線などの内容物の配置構成を最適にしても，さらに細径化するには限界がある。一方，いずれかの管路だけを設けて機能を絞り込んだのでは，使い勝手が悪くなる。
【０００４】
このため，複数の機能を実現しつつ，さらなる細径化に対応するため，例えば単一の管路を設け，その管路に種々の被挿入体を目的に応じて差替えて使用することも考えられる。
【０００５】
【特許文献１】
特開昭５５−５９０２号公報
【０００６】
【発明が解決しようとする課題】
しかしながら，このようなものでも，被挿入体によっては先端部から突出する長手方向位置決め，回転方向位置決めが必要な場合がある。被挿入体として例えば送気送水により内視鏡の先端部表面を水や空気を吹きかけて洗浄する被挿入管を内視鏡の管路に挿入する場合には，被挿入管の先端部側面に設けられた開口部が洗浄対象に向くように，突出する長手方向位置や回転方向位置を決める必要がある。この場合，もし被挿入管の内視鏡先端面から突出する部分の位置決めがなされることなく，単に被挿入管を挿入するようにしたのでは，長い被挿入管を手元で操作しながら，被挿入管の開口部を洗浄する対象に正確に向ける必要があり，その操作は非常に困難である。また被挿入管を突出しすぎると，体内の組織を傷つけるおそれもある。ところが，従来はこのような被挿入管の長手方向と回転方向位置を同時に位置決めできるものはなかった。
【０００７】
この点，例えば特許文献１に開示された技術のように，内視鏡に処置具挿通路を設け，この挿通路に挿通するスネアなどの処置具を先端作用部の方向を規制するものもある。ところが，このようなものでは処置具の長手方向の規制を行うことはできず，また処置具の種類によっては長手方向の規制があると，かえって作業効率が低下するおそれもある。
【０００８】
例えば胆石等の結石除去処理などで体内組織の切開を行うスネアなどの処置具においては，内視鏡を切開の対象となる部位が見えやすい位置にしたまま，処置具を突出してその先端が患部に届くように自由に長手方向に移動させることできるようにする必要がある。このような処置具では，長手方向の規制があると，内視鏡自体を前後に移動しなければならず，画面が変わってしまってかえって作業効率が低下するおそれがある。
【０００９】
そこで，本発明は，このような問題に鑑みてなされたもので，その目的とするところは，内視鏡先端面から突出する被挿入体の長手方向位置と回転方向位置とを位置決めすることができる内視鏡を提供することにある。
【００１０】
【課題を解決するための手段】
上記課題を解決するために，本発明のある観点によれば，被挿入体を内視鏡先端部に形成された管路口から導出させる管路を備えた内視鏡において，被挿入体が管路口から突出する部分の長手方向位置を規制する長手方向規制手段と，被挿入体が管路口から突出する部分の回転方向位置を規制する回転方向規制手段とを設けたことを特徴とする内視鏡が提供される。
【００１１】
また，被挿入体は，内視鏡先端面洗浄用の流体を通す管状体と，管状体の先端に設けられ側面に開口部が形成された先端部とを備え，長手方向規制手段は，被挿入体の先端部のうち少なくとも開口部が形成された部分が内視鏡管路口から突出するように，長手方向位置を規制し，回転方向規制手段は，被挿入体の開口部が内視鏡先端面の洗浄対象部位の方向に向くように，回転方向位置を規制するようにしてもよい。
【００１２】
このような本発明によれば，内視鏡に１つの管路を設けるだけで複数の機能を奏することができ，特に本発明では管路口から突出する部分の長手方向位置及び回転方向位置を規制することができるので，例えば内視鏡先端面を洗浄する洗浄水や空気を噴出するための洗浄管などのような被挿入体を挿入する際には，被挿入体先端部の開口部を内視鏡先端面の洗浄対象に正確に向けることができる。すなわち，長手方向位置及び回転方向位置の位置決めが必要な被挿入体の機能を十分に発揮させることができる。また，被挿入体の突出量が規制されるため，体内の組織を傷つけるおそれもないので，安全に被挿入体を内視鏡に装着することができる。
【００１３】
また，より詳細には，被挿入体先端部の外側面には，長手方向に垂直な第１の切欠面と長手方向に沿った第２の切欠面とを有する切欠部が形成され，内視鏡管路口には，長手方向に垂直な第１の係止面と長手方向に沿った第２の係止面とを有する係止部が形成され，内視鏡の管路に被挿入体が挿入されたときに，内視鏡係止部の第１の係止面に被挿入体切欠部の第１の切欠面が当接して長手方向が規制されるとともに，内視鏡係止部の第２の係止面に被挿入体切欠部の第２の切欠面が当接して回転方向が規制されるようにしてもよい。
【００１４】
このように，被挿入体が内視鏡の管路口から突出する部分について長手方向位置の規制と回転方向位置の規制を被挿入体側の切欠面と内視鏡側の係止面とにより行うため，被挿入体を管路に挿入し，被挿入体先端部を管路口に合わせて挿入させるだけで，簡単に長手方向位置及び回転方向位置の規制を行うことができる。
【００１５】
また，被挿入体切欠部における第２の切欠面は，第１の切欠面の先端側に連続して形成し，被挿入体の先端部における第２の切欠面よりも先端側の外側面の形状は，先端方向に向けて滑らかに先細となるように形成してもよい。
【００１６】
このように，被挿入管先端部の先端を先細にすることにより，被挿入管先端部の先端は管路口よりも小さくなるので，被挿入管先端部が管路口に挿入される際には，管路口に挿入し易くすることができる。また，被挿入管がさらに挿入されることにより，被挿入管先端部は徐々に管路口に嵌り込み，被挿入管側の長手方向規制用切欠面が内視鏡側の長手方向規制用係止面に当接して長手方向が位置決めされる。それと同時に，被挿入管先端部の回転方向規制用切欠面を形成した部分（例えば図３に示すＬ２部分）が管路口に完全に嵌り込み，被挿入管側の回転方向規制用切欠面も内視鏡側の回転方向規制用係止面に当接するので，回転方向も位置決めされる。従って，被挿入管を挿入する際，より容易に管路口に被挿入管先端部を完全に嵌め込むことができるので，被挿入管先端部の突出し部分の位置決めもより容易となる。
【００１７】
さらに，内視鏡は，少なくとも観察系と照明系が設けられた内視鏡本体と，この内視鏡本体を装着するカバーを備え，内視鏡の管路は，カバーに形成してもよい。このように管路がカバーに形成されているカバー式内視鏡に適用してもよい。
【００１８】
また内視鏡の管路は，吸引機構の吸引経路を兼ねるようにしてもよい。これにより，被挿入体を内視鏡の管路に装着することにより，被挿入体を利用することができ，内視鏡の管路から被挿入体を取出すことにより，吸引機構を利用することができる。このように吸引動作を含めた複数の機能を実現できる。
【００１９】
なお，被挿入体は，管状体と先端部とを異なる材料で構成してもよい。例えば，管状体を軟質材料で構成しても，先端部を硬質材料で構成することにより，被挿入体を内視鏡の管路に挿入したときに，管路口へ向けて送り易くなる。
【００２０】
【発明の実施の形態】
以下に添付図面を参照しながら，本発明にかかる内視鏡の好適な実施の形態について詳細に説明する。なお，本明細書及び図面において，実質的に同一の機能構成を有する構成要素については，同一の符号を付することにより重複説明を省略する。
【００２１】
図１は，本発明の第１の実施形態にかかる内視鏡全体の概略構成を示す図である。この内視鏡１００は，大別すると，体腔内に挿入される挿入部１０４と，この挿入部１０４の基端部が連設される操作部１０２と，この操作部１０２から引出されたユニバーサルコード部１０６とからなる。このユニバーサルコード部１０６の端部にはコネクタ１０８が設けられている。ユニバーサルコード部１０６はコネクタ１０８によりプロセッサ装置１１０に接続される。
【００２２】
上記挿入部１０４には，被挿入体例えば洗浄管などの被挿入管２００を内視鏡先端部１３０に形成された管路口１２４から導出させるための管路１２０が設けられている。操作部１０２には被挿入管２００などを管路１２０へ挿入する挿入口１２２が設けられている。
【００２３】
上記内視鏡先端部１３０は，図２（ａ），（ｂ）に示すように構成される。図２（ａ）は内視鏡先端部の先端面を示す図であり，図２（ｂ）は内視鏡先端部のＡ−Ａ断面図である。
【００２４】
内視鏡先端部１３０は，先端部本体１３２を備える。先端部本体１３２は挿入部１０４の外側カバー１３４の先端に固定されている。内視鏡先端部１３０の先端面，すなわち先端部本体１３２の先端面には，被観察体の像を捉えるための観察窓１３６，被観察体に照明光を照射するための照明窓１３８，上記管路１２０を介して被挿入体の先端部を導出させる管路口１２４が設けられている。
【００２５】
上記照明窓１３８には，照明系が接続されている。照明系は例えば次のように構成されている。照明窓１３８には図示しないライトガイドが接続されている。ライトガイドは，内視鏡先端部１３０から挿入部１０４，操作部１０２を経てユニバーサルコード部１０６内に延在されており，プロセッサ装置１１０にコネクタ１０８を介して脱着可能に接続されている。プロセッサ装置１１０には，図示しない光源部が設けられ，光源部からの光は上記ライトガイドを介して照明窓１３８へ照明光として供給される。
【００２６】
上記観察窓１３６には，観察系が接続されている。観察系は例えば次のように構成されている。観察窓１３６は鏡胴１４０の先端に保持されている。鏡胴１４０の後端にはプリズム１４２を介して固体撮像素子１４４が保持されている。固体撮像素子１４４は例えばＣＣＤ（Ｃｈａｒｇｅ  Ｃｏｕｐｌｅｄ  Ｄｅｖｉｃｅ）により構成される。固体撮像素子１４４は，基板１４６に固定されている。基板１４６からの信号ケーブル１４８は，内視鏡先端部１３０から挿入部１０４，操作部１０２を経てユニバーサルコード部１０６内に延在されており，コネクタ１０８を介してプロセッサ装置１１０に接続される。被観察体の像は観察窓１３６から取込まれ，固体撮像素子１４４を介して画像信号としてプロセッサ装置１１０に取込まれる。固体撮像素子１４４からの画像信号はプロセッサ装置１１０により処理され，モニタ上に被観察体の画像として表示される。
【００２７】
内視鏡１００の先端部本体１３２の管路口１２４には，被挿入体が挿入される管路１２０が接続管１２１を介して接続されている。本実施形態では被挿入体として例えば内視鏡先端面を洗浄する洗浄水や空気を噴出するための被挿入管２００が挿入される。
【００２８】
上記管路口１２４は，図２（ｂ）に示すように先端部本体１３２の先端側に開口する長手方向に沿った孔により形成されている。この管路口１２４の先端開口部の形状は，例えば図２（ａ）に示すようにＤ字の直線部分を下方にしたような略Ｄ字形状に形成される。被挿入管先端部２１０のうち管路口１２４から突出する部分の外側面の形状は，この管路口１２４に嵌め込み可能となるように，管路口１２４の先端側開口形状に合わせた形状に形成される。
【００２９】
上記管路口１２４には，管路口１２４の内面であって，先端開口部の下側に係止部１２５が形成されている。この係止部１２５は，管路口１２４に被挿入管先端部２１０が挿入されたときに，被挿入管先端部２１０を係止して，管路口１２４から突出する部分の長手方向位置と回転方向位置を規制するものである。
【００３０】
具体的には係止部１２５は，管路口１２４の後端側に形成された長手方向に垂直な長手方向規制用係止面（第１の係止面）１２８と，長手方向規制用係止面１２８よりも先端側に連続し長手方向に沿って形成された回転方向規制用係止面（第２の係止面）１２６とを有する。この回転方向規制用係止面１２６は，上記管路口１２４の先端開口部の下側の直線部分を構成する。
【００３１】
係止部１２５の長手方向規制用係止面１２８は，被挿入管先端部２１０における内視鏡管路口１２４から突出する部分（内視鏡先端面から突出する部分）の長手方向位置を規制する。また回転方向規制用係止面１２６は，被挿入管先端部２１０における内視鏡管路口１２４から突出する部分の回転方向位置を規制する。これら長手方向位置と回転方向位置の詳細については後述する。
【００３２】
次に，内視鏡の管路１２０へ挿入される被挿入体について図面を参照しながら説明する。本実施の形態では被挿入体として例えば内視鏡先端部１３０の先端面の観察窓１３６を洗浄するための被挿入管２００を例に挙げて説明する。
【００３３】
被挿入管２００は，図１に示すように，管状に形成された管状体としての被挿入管本体２０４を備える。被挿入管本体２０４の先端には被挿入管先端部２１０が接続されており，被挿入管本体２０４の後端部には洗浄水や空気を注入する注入口２０６が設けられている。上記被挿入管本体２０４と被挿入管先端部２１０とは異なる材料で構成される。
【００３４】
ここで，被挿入管先端部２１０の構成を図３（ａ），（ｂ）を参照しながら説明する。図３（ａ）は被挿入管先端部の外観を示す斜視図であり，図３（ｂ）は被挿入管先端部の縦断面図である。
【００３５】
被挿入管先端部２１０の側面には，水や空気を噴出する開口部２１２を備える。この開口部２１２は，被挿入管先端部２１０のうち，内視鏡先端部１３０の先端面から突出する部分（Ｌ１）の側面に形成されている。
【００３６】
被挿入管先端部２１０には，上記開口部２１２を被挿入管本体２０４の管内に連通する連通路２１４が形成されている。被挿入管本体２０４からの洗浄水や空気は連通路２１４を介して側方へと方向を変えて開口部２１２から排出される。
【００３７】
被挿入管先端部２１０の開口部２１２の反対側側面には，切欠部２２５が形成されている。この切欠部２２５は，内視鏡１００の管路口１２４に被挿入管先端部２１０が挿入されたときに，内視鏡先端部１３０の管路口１２４における係止部１２５に係止される。これにより，内視鏡先端部１３０の先端面から突出する部分（Ｌ１）の長手方向位置と回転方向位置とが規制される。
【００３８】
具体的には切欠部２２５は，先端から所定の長さ（Ｌ１とＬ２）まで被挿入管先端部２１０の側面の一部に長手方向に沿った切欠を設けることにより形成されている。切欠部２２５は，長手方向に垂直な長手方向規制用切欠面（第１の切欠面）２２８と，長手方向規制用切欠面２２８よりも先端側に連続し長手方向に沿って形成された回転方向規制用切欠面（第２の切欠面）２２６とを有する。回転方向規制用切欠面２２６は，切欠部２２５における被挿入管２００の長手方向に沿った面のうち，少なくともＬ２部分に形成すればよい。
【００３９】
被挿入管先端部２１０が管路口１２４に挿入されたときに，上記切欠部２２５の長手方向規制用切欠面２２８は，管路口１２４の係止部１２５における長手方向規制用係止面１２８と当接して，被挿入管２００の突出部分（Ｌ１）の長手方向位置を規制し，上記切欠部２２５の回転方向規制用切欠面２２６は，管路口１２４の係止部１２５における回転方向規制用係止面１２６と当接して，被挿入管２００の突出部分（Ｌ１）の回転方向位置を規制する。
【００４０】
被挿入管先端部２１０の開口部２１２が突出した位置で被挿入管先端部２１０が管路口１２４に嵌り込むようにするため，被挿入管先端部２１０のＬ２部分は，上記内視鏡１００側の回転方向規制用係止面１２６の長手方向の長さと同じ長さに形成されている。
【００４１】
ここで，被挿入管先端部２１０が管路口１２４から突出する部分の長手方向位置と回転方向位置について説明する。被挿入管２００が例えば内視鏡先端面を洗浄するためのものである場合には，被挿入管先端部２１０の長手方向位置と回転方向位置は，被挿入管２００を用いて洗浄する対象に応じて決められる。
【００４２】
例えば本実施の形態のように被挿入管２００が内視鏡先端面の観察窓１３６を洗浄するものである場合には，長手方向位置は少なくとも被挿入管先端部２１０の開口部２１２が設けられた部分（Ｌ１）が管路口１２４から突出する位置（内視鏡先端面から突出する位置）とする。また回転方向位置は，少なくとも被挿入管２００の開口部２１２が内視鏡先端部１３０の観察窓１３６の方向へ向く位置とする。
【００４３】
このような長手方向位置及び回転方向位置に被挿入管先端部２１０が位置決めされるように，内視鏡１００側の係止部１２５，被挿入管２００側の切欠部２２５の形状が決められる。
【００４４】
次に，このような内視鏡１００の管路１２０に被挿入管２００が挿入された場合の作用を図面を参照しながら説明する。図４は内視鏡１００の管路１２０に被挿入管２００が挿入される途中の状態の内視鏡先端部を示したものであり，図５は内視鏡１００の管路１２０に被挿入管２００が装着された状態の内視鏡先端部を示したものである。図６は内視鏡１００の管路１２０に被挿入管２００が装着された状態の内視鏡全体の断面図を示したものである。
【００４５】
被挿入管２００が図１に示す内視鏡１００の挿入口１２２から管路１２０へ挿入されると，図４に示すように被挿入管先端部２１０は，管路１２０に沿って内視鏡先端部１３０の管路口１２４へ案内される。そのまま被挿入管２００を挿入し続けると，管路口１２４から被挿入管２００の先端が突出して，図５に示す位置で止まる。
【００４６】
このとき，被挿入管２００の先端は，内視鏡先端部１３０の管路口１２４に嵌り込み，被挿入管２００側の切欠部２２５の長手方向規制用切欠面２２８が，内視鏡１００側の係止部１２５の長手方向規制用係止面１２８に当接することによって，被挿入管２００の長手方向位置が位置決めされる。具体的には，被挿入管先端部２１０のＬ１部分が内視鏡先端面から突出する。
【００４７】
また，被挿入管２００側の切欠部２２５の回転方向規制用切欠面２２６が，内視鏡１００側の係止部１２５の回転方向規制用係止面１２６に当接することによって，被挿入管２００の回転方向位置が位置決めされる。具体的には，被挿入管先端部２１０のＬ１部分の開口部２１２が内視鏡先端面の観察窓１３６の方向に向く。
【００４８】
こうして，被挿入管２００が内視鏡に装着されると，図６に示すようになる。そして，内視鏡先端面の観察窓１３６を洗浄する際には，例えば被挿入管２００の注入口２０６にシリンジ１５０などを装着し，このシリンジ１５０により洗浄水や空気を被挿入管２００に注入する。これにより，洗浄水や空気は，被挿入管先端部２１０の開口部２１２から観察窓１３６に向けて噴出される。
【００４９】
このように，本実施の形態によれば，内視鏡に１つの管路を設けるだけで複数の機能を奏することができ，特に管路口１２４から突出する部分の長手方向位置及び回転方向位置を規制することができるので，例えば内視鏡先端面を洗浄する洗浄水や空気を噴出するための洗浄管などのような本実施の形態の被挿入管２００を挿入する際には，被挿入体先端部の開口部を内視鏡先端面の洗浄対象に正確に向けることができる。すなわち，長手方向位置及び回転方向位置の位置決めが必要な被挿入管２００の機能を十分に発揮させることができる。また，被挿入管２００の突出量が規制されるため，体内の組織を傷つけるおそれもないので，安全に被挿入体を内視鏡１００に装着することができる。
【００５０】
また，被挿入管２００が内視鏡１００の管路口１２４から突出する部分について長手方向位置の規制を被挿入管２００側の長手方向規制用切欠面２２８と内視鏡１００側の長手方向規制用係止面１２８とにより行い，回転方向位置の規制を被挿入管２００側の回転方向規制用切欠面２２６と内視鏡１００側の回転方向規制用係止面１２６とにより行うので，被挿入管２００を管路１２０に挿入し，被挿入管先端部２１０を管路口１２４に合わせて挿入させるだけで，簡単に長手方向位置及び回転方向位置の規制を行うことができる。
【００５１】
なお，被挿入管２００を挿入する内視鏡の管路１２０には，図７に示すように体腔内の汚物や粘液等を吸引する吸引機構が接続していてもよい。この場合には，管路１２０は吸引経路としても利用され，管路１２０の管路口１２４は吸引口としても機能させることができる。
【００５２】
吸引機構は，例えば以下のように構成される。管路１２０は操作部１０２内で吸引作用側通路３０２と合流しており，吸引作用側通路３０２は操作部１０２に設けられた吸引バルブ３１０を介して吸引源側通路３０４と連通している。こうして，管路１２０，吸引作用側通路３０２，吸引源側通路３０４は吸引経路を形成する。吸引源側通路３０４はユニバーサルコード部１０６を通って，コネクタ１０８を介して負圧源（図示せず）と接続される。
【００５３】
吸引バルブ３１０は，上記吸引作用側通路３０２と吸引源側通路３０４との接続の切換制御を行うものである。吸引バルブ３１０は，内視鏡１００の操作部１０２に装着された弁ケーシング３１２と，この弁ケーシング３１２の内部にボタン３１４の押下操作に応じて摺動する弁部材３１６とを備える。
【００５４】
弁部材３１６の下部の外周面には活塞面３１８が形成されており，この活塞面３１８の上部に側面透孔３２０が形成されている。弁部材３１６の底部は開口しており，上記側面透孔３２０と連通している。
【００５５】
弁ケーシング３１２には，吸引作用側通路３０２，吸引源側通路３０４が接続されている。弁部材３１６が摺動操作されることにより，吸引作用側通路３０２は，弁部材３１６の側面透孔３２０により吸引源側通路３０４と連通し，また活塞面３１８により吸引源側通路３０４と遮断される。なお，ボタン３１４は，バネ等の付勢部材３２２により，弁部材３１６が吸引源側通路３０４を遮断する位置となる方へ付勢されている。
【００５６】
このように，管路１２０に吸引機構を接続した内視鏡であれば，１つの管路１２０を利用して，内視鏡洗浄の他に吸引動作を行うこともできる。例えば内視鏡先端面を洗浄する場合には，管路１２０の挿入口１２２から被挿入管２００を挿入して，被挿入管２００を内視鏡１００に装着する。また，体腔内の汚物や粘液等を吸引する吸引動作を行う場合には，内視鏡１００から被挿入管２００を取出す。これにより，管路１２０と吸引作用側通路３０２とは連通し，吸引動作が可能となる。
【００５７】
また，図７に示す例では，本発明を管路１２０の挿入口１２２を操作部１０２の先端側に設けた内視鏡に適用する場合について説明したが，必ずしもこれに限られることはなく，例えば図８に示すように操作部１０２の後端側に設けた内視鏡に適用してもよい。このように構成すれば，挿入口１２２から管路１２０までの経路をより直線に近づけることができるので，被挿入管２００をより容易に管路１２０へ挿入できる。また被挿入管２００の被挿入管先端部２１０を手元操作で回転させることがより容易になるので，被挿入管先端部２１０を管路口１２４に挿入する作業をより容易に行うことができる。
【００５８】
次に，本発明の第２の実施形態にかかる内視鏡について図面を参照しながら説明する。図９は，本実施形態にかかる内視鏡の先端部近傍の組立斜視図である。図１０は本実施形態にかかる内視鏡の先端部の概略構成を説明する断面図であり，図１１は内視鏡の先端部の外観を示す斜視図である。
【００５９】
第２の実施形態にかかる内視鏡４００は，少なくとも上述した観察系と照明系とを備えた内視鏡本体４０２を備え，この内視鏡本体４０２に装着するカバー４０４に管路１２０を形成したものである。第１の実施形態にかかる内視鏡は，内視鏡本体内に管路１２０が設けられている場合であるのに対して，第２の実施形態にかかる内視鏡は内視鏡本体とは別に管路１２０が外付けで構成されている場合である。
【００６０】
カバー４０４の先端部４０６には，観察窓１３６，照明窓１３８が設けられている。またカバー４０４の先端部には，図１０にも示すように管路１２０の管路口１２４が形成されており，この管路口１２４には，第１の実施形態の場合と同様に回転方向規制用係止面１２６と長手方向規制用係止面１２８を有する係止部１２５が形成されている。なお，被挿入管２００の構成は第１の実施の形態と同様であるためその詳細な説明は省略する。
【００６１】
このような内視鏡４００は，図９に示すように内視鏡本体４０２にカバー４０４を装着することにより，管路１２０を備えた内視鏡となる。そして，カバー４０４の観察窓１３６の洗浄を行う場合には，カバー４０４の管路１２０に被挿入管２００を挿入する。すると，被挿入管先端部２１０は，管路１２０に沿って内視鏡先端部１３０の管路口１２４へ案内される。
【００６２】
そのまま被挿入管２００を挿入し続けると，管路口１２４から被挿入管２００の先端が突出して，図１０，図１１に示す位置で止まる。このとき，第１の実施の形態の場合と同様に，被挿入管２００の先端は，カバー４０４の管路口１２４に嵌り込み，被挿入管２００側の切欠部２２５の回転方向規制用切欠面２２６，長手方向規制用切欠面２２８がそれぞれ，内視鏡１００側の係止部１２５の回転方向規制用係止面１２６，長手方向規制用係止面１２８に当接することによって，被挿入管２００の回転方向位置，長手方向位置がそれぞれ位置決めされる。
【００６３】
このように，被挿入管２００をカバー４０４の管路１２０に装着する際に，回転方向位置，長手方向位置を確実に位置決めすることができるので，正確に観察窓１３６に向けて洗浄水や空気を噴出できる。
【００６４】
以上，添付図面を参照しながら本発明に係る好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００６５】
例えば，被挿入管先端部２１０は，図１２に示すように先端を管路口１２４の開口の大きさよりも小さくして，先端に向けて先細になるように形成してもよい。具体的には被挿入管先端部２１０の外側面のうち，長手方向規制用切欠面２２８により長手方向が規制されたときに，少なくとも管路口１２４に嵌る部分Ｌ２に回転方向規制用切欠面２２６を形成すれば，それよりも先端側の部分Ｌ１は先細形状に構成してもよい。例えば先端側の部分Ｌ１を円錐形状とし，管路口１２４に嵌る部分Ｌ２と滑らかな曲線で連続するように形成してもよい。
【００６６】
なお，被挿入管先端部２１０の先端を先細にする形状としては，図１２に示すような円錐形状には限られず，例えば図３に示すような先端形状のままその大きさを先端に向けて徐々に小さくなるようにしたものであってもよい。
【００６７】
このように，被挿入管先端部２１０の先端を先細にすることにより，被挿入管先端部２１０の先端が管路口１２４よりも小さくなるので，被挿入管先端部２１０が管路口１２４に挿入される際には，管路口１２４に挿入し易くすることができる。
【００６８】
また，被挿入管２００がさらに挿入されることにより，被挿入管先端部２１０は徐々に管路口１２４に嵌り込み，被挿入管２００側の長手方向規制用切欠面２２８が内視鏡１００又は４００側の長手方向規制用係止面１２８に当接して長手方向が位置決めされる。それと同時に，被挿入管先端部２１０のＬ２部分が管路口１２４に完全に嵌り込み，被挿入管２００側の回転方向規制用切欠面２２６も内視鏡１００又は４００側の回転方向規制用係止面１２６に当接するので，回転方向も位置決めされる。
【００６９】
従って，被挿入管２００を挿入する際，より容易に管路口１２４に被挿入管先端部２１０を完全に嵌め込むことができるので，被挿入管先端部２１０の突出し部分の位置決めもより容易となる。
【００７０】
また，被挿入管２００において被挿入管先端部２１０と被挿入管本体２０４とは別体として異なる材料で構成した場合について説明したが，必ずしもこれに限定されるものではなく，同一材料を用いて一体で構成してもよい。
【００７１】
また，上記第１及び第２の実施形態においては，被挿入体の回転方向規制手段は，内視鏡側と被挿入管側の回転方向規制面により位置決めする場合について説明したが，内視鏡側，被挿入管側のいずれか一方に溝を設け，他方にこの溝に嵌まる突起を設けるようにしてもよい。このようにしても，回転方向位置決めが可能となる。また，被挿入管側に溝又は突起を設ける場合には，例えば図３に示す被挿入管先端部の外周面におけるＬ２部分に設けるようにしてもよい。このようにすれば，上記第１及び第２の実施形態と同様に被挿入管先端部の長手方向が位置決めされると，同時に回転方向も位置決めされる。
【００７２】
また，上記第１及び第２の実施形態においては，被挿入体として洗浄対象が観察窓１３６である被挿入管２００を内視鏡１００の管路１２０に挿入する場合について説明したが，必ずしもこれに限定されることはなく，被挿入体として図１３に示すように洗浄対象が照明窓１３８である被挿入管５００を内視鏡１００の管路１２０に挿入してもよい。
【００７３】
図１３（ａ），（ｂ）に示すように被挿入管本体５０４の先端に設けられた被挿入管先端部５１０の側面には，２つの開口孔５１２が形成されている。これら開口孔５１２は，被挿入管５００が内視鏡１００の管路口１２４に装着されたとき，２つの照明窓１３８に向けてそれぞれ洗浄水や空気を噴出するものである。
【００７４】
この被挿入管５００には，上述した被挿入管２００の切欠部２２５と同様に構成される切欠部５２５が形成されている。すなわち，切欠部５２５は，長手方向に垂直な長手方向規制用切欠面（第１の切欠面）５２８と，長手方向規制用切欠面５２８よりも先端側に連続し長手方向に沿って形成された回転方向規制用切欠面（第２の切欠面）５２６とを有する。
【００７５】
この切欠部５２５は，内視鏡１００の管路口１２４に被挿入管先端部５１０が挿入されたときに，内視鏡先端部１３０の管路口１２４における係止部１２５に係止される。これにより，内視鏡先端部１３０の先端面から突出する部分の長手方向位置と回転方向位置とが規制されて，被挿入管５００は内視鏡１００の管路１２０に，被挿入管５００の開口部５１２が内視鏡先端面から突出し，照明窓１３８の方向に向くように装着される。なお，被挿入管５００についても図１２に示すものと同様に先端部を先細に形成してもよい。
【００７６】
このように，本発明では，内視鏡１００の管路１２０に様々な被挿入体を装着することができ，しかも被挿入体の長手方向位置と回転方向位置とを規制することができるので，例えば洗浄対象の異なる被挿入管（例えば被挿入管２００，５００など）を挿入することにより，それらの機能を果すことができる。従って，本発明は，被挿入管が固定されている内視鏡のように，洗浄対象が限られる場合に比して有利である。
【００７７】
また，上記第１及び第２の実施の形態においては，長手方向位置と回転方向位置が規制される被挿入体として内視鏡先端面の洗浄を行う被挿入管を例に挙げて説明したが，必ずしもこれに限定されるものではなく，被挿入体としては高周波ナイフ，パピロトミーナイフなどの治療用処置具であってもよい。これらの処置具は，高周波を使用して患部を焼切るものであるが，例えば不要な部分を切らないようにするためなどのように，内視鏡本体と一体となって内視鏡本体の操作により操作した方がよい場合もある。この場合には，処置具に対しても回転方向と長手方向の規制をすることができる本願発明が有利である。
【００７８】
また，上記第１及び第２の実施の形態においては，本発明を直視型内視鏡に１つの管路を設けた内視鏡に適用する場合について説明したが，必ずしもこれに限定されるものではなく，１つの管路を設けた内視鏡であれば，側視型内視鏡，斜視型内視鏡などに適用してもよい。
【００７９】
【発明の効果】
以上詳述したように本発明によれば，複数の機能を実現しつつ，さらなる細径化に対応することができ，また内視鏡に設けた管路に被挿入体を挿入する際，内視鏡先端部から突出する被挿入体の長手方向位置と回転方向位置とを位置決めすることができる内視鏡を提供できるものである。
【図面の簡単な説明】
【図１】本発明の第１の実施形態にかかる内視鏡全体の概略構成を示す断面図である。
【図２】同実施形態にかかる内視鏡の先端部の構成を示す図であって，同図（ａ）は内視鏡先端面を示す図であり，同図（ｂ）は同図（ａ）に示すＡ−Ａ断面図である。
【図３】同実施形態における被挿入管の先端部の構成を示す図であって，同図（ａ）は外観図であり，同図（ｂ）は長手方向に沿った断面図である。
【図４】同実施形態にかかる内視鏡の作用説明図である。
【図５】同実施形態にかかる内視鏡の作用説明図である。
【図６】同実施形態にかかる内視鏡の作用説明図である。
【図７】同実施形態にかかる内視鏡における管路の変形例を示す図である。
【図８】同実施形態にかかる内視鏡における管路の他の変形例を示す図である。
【図９】本発明の第２の実施形態にかかる内視鏡の先端部近傍の構成を示す組立斜視図である。
【図１０】同実施形態にかかる内視鏡の先端部の断面を示す図である。
【図１１】同実施形態にかかる内視鏡の先端部を外観を示す斜視図である。
【図１２】本発明における被挿入管の先端部の変形例を説明する図であって，同図（ａ）は外観図であり，同図（ｂ）は長手方向に沿った断面図である。
【図１３】本発明における被挿入管の他の例を説明する図であって，同図（ａ）は外観図であり，同図（ｂ）は同図（ａ）に示す被挿入管を内視鏡に装着した場合の内視鏡の正面図である。
【符号の説明】
１００      内視鏡
１０２      操作部
１０４      挿入部
１０６      ユニバーサルコード部
１０８      コネクタ
１１０      プロセッサ装置
１２０      管路
１２１      接続管
１２２      挿入口
１２４      管路口
１２５      係止部
１２６      回転方向規制用係止面
１２８      長手方向規制用係止面
１３０      内視鏡先端部
１３２      先端部本体
１３４      外側カバー
１３６      観察窓
１３８      照明窓
１４０      鏡胴
１４２      プリズム
１４４      固体撮像素子
１４６      基板
１４８      信号ケーブル
１５０      シリンジ
２００      被挿入管
２０４      被挿入管本体
２０６      注入口
２１０      被挿入管先端部
２１２      開口部
２１４      連通路
２２５      切欠部
２２６      回転方向規制用切欠面
２２８      長手方向規制用切欠面
３０２      吸引作用側通路
３０４      吸引源側通路
３１０      吸引バルブ
４００      内視鏡
４０２      内視鏡本体
４０４      カバー
４０６      先端部
５００      被挿入管
５０４      被挿入管本体
５１０      被挿入管先端部
５１２      開口部
５２５      切欠部
５２６      回転方向規制用切欠面
５２８      長手方向規制用切欠面
【図１】
2004261349.tif 000003
【図２】
2004261349.tif 000004
【図３】
2004261349.tif 000005
【図４】
2004261349.tif 000006
【図５】
2004261349.tif 000007
【図６】
2004261349.tif 000008
【図７】
2004261349.tif 000009
【図８】
2004261349.tif 000010
【図９】
2004261349.tif 000011
【図１０】
2004261349.tif 000012
【図１１】
2004261349.tif 000013
【図１２】
2004261349.tif 000014
【図１３】
2004261349.tif 000015